(57)【要約】【課題】マルチメディアデータ加工処理システムにおいて、同一内容のマルチメディアデータが端末間で短期間に繰り返し送受信されるのを回避する。【解決手段】端末１１０のキャッシュ対応要求送信部１１３は、画像フラグ＝０（新規）の場合、画像フラグ、撮影画像データ、画像ＩＤ、パラメタデータを、画像フラグ＝１（再利用）の場合、画像フラグ、画像ＩＤ、パラメタデータを端末１２０に送信する。端末１２０のキャッシュ対応要求受信部１２１は、画像フラグ＝０（新規）の場合、撮影画像データ、画像ＩＤをデータ記憶部１２４に新たに記憶し、画像フラグ＝１（再利用）の場合、画像ＩＤを検索キーとして、対応する撮影画像をデータ記憶部１２４より取得し、撮影画像データ、画像ＩＤ、パラメタデータを画像加工処理部１２２に送る。【選択図】図１
2007104281.tif 000002
【特許請求の範囲】
【請求項１】
マルチメディアデータの入力と出力が可能な第１の端末と、該第１の端末から送信されたマルチメディアデータに加工処理を行い、その結果を前記第１の端末に送信する第２の端末とを有するマルチメディアデータ加工処理システムにおけるデータ送受信方法において、
前記第１の端末は、一度送信したマルチメディアデータに関しては該マルチメディアデータを送信せずにそのＩＤを前記第２の端末に送信し、
前記第２の端末は、受信したマルチメディアデータをデータ記憶部に記憶し、マルチメディアデータは受信せず、マルチメディアデータのＩＤを受信した場合、前記データ記憶部から該ＩＤに対応するマルチメディアデータを検索する
ことを特徴とする、マルチメディアデータ加工処理システムにおけるデータ送受信方法。
【請求項２】
前記第２の端末は、受信したＩＤに対応するマルチメディアデータが前記データ記憶部に存在しない場合、前記第１の端末に該受信したＩＤに対応するマルチメディアデータの再送を要求する、請求項１に記載のデータ送受信方法。
【請求項３】
マルチメディアデータの入力と出力が可能な第１の端末と、該第１の端末から送信されたマルチメディアデータに加工処理を行い、その結果を前記第１の端末に送信する第２の端末とを有するマルチメディアデータ加工処理システムにおいて、
前記第１の端末は、新規のマルチメディアデータの場合、該マルチメディアデータとそのＩＤを、過去に送信したことのあるマルチメディアデータの場合、該マルチメディアデータのＩＤを前記第２の端末に送信するキャッシュ対応要求送信部を有し、
前記第２の端末は、前記第１の端末から送信されてきたマルチメディアデータをそのＩＤとともにローカルに保存するデータ記憶部と、前記第１の端末からマルチメディアデータとそのＩＤを受信すると、これらを前記データ記憶部に記憶するとともに該マルチメディアデータを、マルチメディアデータの加工処理をおこなうマルチメディアデータ加工処理部に送り、前記第１の端末から、マルチメディアデータを受信せず、マルチメディアデータのＩＤを受信すると、前記データ記憶部から該ＩＤのマルチメディアデータを検索し、前記マルチメディアデータ加工処理部に送るキャッシュ対応要求受信部を有する
ことを特徴とするマルチメディアデータ加工処理システム。
【請求項４】
前記キャッシュ対応要求送信部は、新規のマルチメディアデータか、過去に送信したことのあるマルチメディアデータかを識別するマルチメディアデータフラグを前記第２端末に送信し、前記キャッシュ対応要求受信部は前記マルチメディアデータフラグに基づいて前記の処理をおこなう、請求項３に記載のマルチメディアデータ加工処理システム。
【請求項５】
前記キャッシュ対応要求受信部は、受信したＩＤに対応するマルチメディアデータが前記データ記憶部に存在しない場合、前記第１の端末に該受信したＩＤに対応するマルチメディアデータの再送を要求する、請求項３または４に記載のマルチメディアデータ加工処理システム。
【請求項６】
データ記憶部と、
マルチメディアデータを取得し、該マルチメディアデータを識別するマルチメディアデータＩＤとともに前記データ記憶部に記憶し、過去に取得したマルチメディアデータの場合、前記データ記憶部からマルチメディアデータを取得する要求取得部と、
新規のマルチメディアデータの場合、該マルチメディアデータとそのＩＤを、過去に送信したことのあるマルチメディアデータの場合、該マルチメディアデータを、マルチメディアデータの加工処理を行う端末に送信するキャッシュ対応要求送信部と、
前記端末から加工処理されたマルチメディアデータを受信する結果受信部と、
受信されたマルチメディアデータを表示する結果表示部と
を有する端末。
【請求項７】
ユーザ側端末から送信されてきたマルチメディアデータの加工処理をおこなうマルチメディアデータ加工処理部と、
加工処理が行われたマルチメディアデータを前記ユーザ側端末に送信する結果送信部と、
前記ユーザ側端末から送信されてきたマルチメディアデータをそのＩＤとともにローカルに保存するデータ記憶部と、
前記ユーザ側端末からマルチメディアデータとそのＩＤを受信すると、これらを前記データ記憶部に記憶するとともに該マルチメディアデータを前記マルチメディアデータ加工処理部に送り、前記第１の端末から、マルチメディアデータを受信せず、マルチメディアデータのＩＤを受信すると、前記データ記憶部から該ＩＤのマルチメディアデータを検索し、前記マルチメディアデータ加工処理部に送るキャッシュ対応要求受信部と
有する端末。
【請求項８】
請求項６または７に記載の端末の機能をコンピュータで実行するためのプログラム。
【発明の詳細な説明】
【技術分野】
【０００１】
本発明は、マルチメディアデータの入力と出力が可能な第１の端末と、該第１の端末から送信されたマルチメディアデータに加工処理を行い、その結果を第１の端末に送信する第２の端末とを有するマルチメディアデータ加工処理システムに関する。
【背景技術】
【０００２】
ここでは、マルチメディアデータ加工処理システムの例として画像合成システムの従来技術を説明する。
【０００３】
ユーザが撮影機能のある端末を用いて自分の周囲の実空間の画像を撮影し、その撮影画像を画像合成システムに入力することにより、画像合成システムが仮想物体やキャラクタを合成し、その結果を出力してユーザに提示するシステムが従来より提案されている。
【０００４】
特に、撮影画像中に、認識対象となるマーカ、すなわち具体的には特定印刷物や特定形状の物体が含まれている場合、システムは画像認識処理を行って、実空間に存在するマーカの位置や方向を算出し、合成する物体の大きさや向きを合成処理に反映させることができ、実空間に存在しないものを、あたかも存在するように画像合成を行うことができる。そのような例が非特許文献１で提案されている。
【０００５】
さらに、ユーザが利用する端末の処理能力が小さい場合、負荷の大きい処理を、ネットワーク上に接続された別のサーバ端末に処理させることによって、上記の目的を達成することができる。このような例が特許文献１、特許文献２で提案されている。
【０００６】
以上に述べたような従来の画像合成システムの構成を図９に示す。
【０００７】
端末２１０はユーザが持つカメラ付き携帯電話やＰＣ（Ｐｅｒｓｏｎａｌ  Ｃｏｍｐｕｔｅｒ）等で、要求取得部２１１とデータ記憶部２１２と要求送信部２１３と要求受信部２１４と結果表示部２１５とを有している。端末２２０はネットワーク（不図示）によって端末２１０に接続されたサーバ端末等で、要求受信部２２１と画像加工処理部２２２と結果送信部２２３を有している。
【０００８】
ユーザは、要求取得部２１１の画像撮影機能２１１Ａにより、自分の周囲の画像を撮影する。このとき、ユーザは、撮影画像の中に認識対象となるマーカが含まれるように撮影を行う。画像撮影機能２１１Ａは、撮影画像データ、および撮影画像データを一意に識別するための画像ＩＤを生成する。また、ユーザは要求取得部２１１のパラメタ取得機能２１１Ｂにより、「何を合成したいか」を候補リストより取得し、決定する。ユーザが選択したものの合成物ＩＤがパラメタデータとして設定される。画像撮影機能２１１Ａにより獲得した撮影画像データ、パラメタ取得機能２１１Ｂにより獲得したパラメタデータは要求取得部２１１からデータ記憶部２１２に送られ、そこに記憶される。
【０００９】
ユーザによる画像撮影とパラメタ設定が完了すると、要求取得部２１１は撮影画像データ、パラメタデータを要求送信部２１３に出力する。要求送信部２１３は、撮影画像データ、パラメタデータを通信プロトコルにしたがって端末２２０に送信する。
【００１０】
端末２２０の要求受信部２２１は撮影画像データ、パラメタデータを受信し、これらを画像加工処理部２２２に送出する。画像加工処理部２２２は送られてきた撮影画像データ、パラメタデータを元に画像の加工処理を行う。この例では、撮影画像データに含まれるマーカを画像認識処理により認識し、マーカの位置と方向を算出し、求められた位置と方向に合わせてパラメタデータにより指定される合成物を合成処理し、結果画像データを生成する。生成された結果画像データは結果送信部２２３に送られる。結果送信部２２３は結果画像データを通信プロトコルに従って端末２１０に送信する。
【００１１】
端末２１０の結果受信部２１４は結果画像データを受信し、これを結果表示部２１５に送る。結果表示部２１５は、送られてきた画像データをディスプレイ等のデバイスに表示することにより、ユーザの要求によって得られた結果をユーザに提示する。これにより、ユーザは実空間に存在しない仮想物があたかもそこに存在しているような画像を見ることが可能になる。
【００１２】
ここまでの一連の動作の後、ユーザは条件を改めて再び画像合成処理を行う場合、要求取得部２１１は、前回の撮影画像データ、前回の設定パラメタデータデータ記憶部２１２から読み出して再利用する。このため、撮影画像データとして前回のときと同じものを利用する場合、改めて撮影を行う必要はなく、パラメタだけを更新すればよい。同様に、パラメタデータとして前回のときと同じものを利用する場合、改めてパラメタ設定を行う必要はなく、撮影画像だけを更新すればよい。
【非特許文献１】Ｈ．Ｍａｔｓｕｏｋａ  ｅｔ  ａｌ．，“Ｒｅｇｅｎｅｒａｔｉｏｎ    ｏｆ  Ｒｅａｌ  Ｏｂｊｅｃｔｓ  ｉｎ  ｔｈｅ  Ｒｅａｌ  Ｗｏｒｌｄ”，ＳＩＧＧＲＡＰＨ  ２００２, Ｓａｎ  Ａｎｔｏｎｉｏ，２１−２６  ＪＵＬＹ，２００２年
【特許文献１】特開２００２−１１１９９８号公報
【特許文献２】特開２００４−３４１６４２号公報
【発明の開示】
【発明が解決しようとする課題】
【００１３】
上述した従来の画像合成システムでは、撮影画像データおよびパラメタデータが、ユーザが処理を要求するたびに端末２１０から端末２２０に送信されていた。この中で、撮影画像データのようなマルチメディアデータは一般にデータ量が大きい。ユーザが、一度目の合成結果を得た後、撮影画像データは前回と同じものを利用し、合成物だけを変更するような場合でも、従来のシステムでは前回と全く同一内容の撮影画像データを端末２１０から端末２２０に送信する必要がった。
【００１４】
このように、従来の画像合成システムでは、内容的に同一のマルチメディアデータを何度も送信しなければならず、通信データ量を増大させ、結果として通信コストおよび通信時間の増大という不利益をユーザにもたらしていた。
【００１５】
本発明の目的は、ユーザ側の端末から、内容的に同一のマルチメディアデータを送信しないで済むデータ送受信方法、マルチメディアデータ加工処理システム、端末、およびプログラムを提供することにある。
【課題を解決するための手段】
【００１６】
上記目的を達成するために、本発明のデータ送受信方法は、ユーザ側の端末は、一度送信したマルチメディアデータに関しては該マルチメディアデータを送信せずにそのＩＤを、マルチメディアデータの加工処理を行う端末に送信し、マルチメディアデータの加工処理を行う端末は、受信したマルチメディアデータをデータ記憶部に記憶し、マルチメディアデータは受信せず、マルチメディアデータのＩＤを受信した場合、データ記憶部から該ＩＤに対応するマルチメディアデータを検索する。
【００１７】
また、本発明のマルチメディアデータ加工処理システムは、
ユーザ側の端末が、新規のマルチメディアデータの場合、該マルチメディアデータとそのＩＤを、過去に送信したことのあるマルチメディアデータの場合、該マルチメディアデータを、マルチメディアデータの加工処理を行う端末に送信するキャッシュ対応要求送信部を有し、
マルチメディアデータの加工処理を行う端末が、ユーザ側の端末から送信されてきたマルチメディアデータをそのＩＤとともにローカルに保存するデータ記憶部と、ユーザ側の端末からマルチメディアデータとそのＩＤを受信すると、これらをデータ記憶部に記憶するとともに該マルチメディアデータを、マルチメディアデータの加工処理をおこなうマルチメディアデータ加工処理部に送り、ユーザ側の端末から、マルチメディアデータを受信せず、マルチメディアデータのＩＤを受信すると、データ記憶部から該ＩＤのマルチメディアデータを検索し、マルチメディアデータ加工処理部に送るキャッシュ対応要求受信部を有する。
【００１８】
これにより、同一内容のマルチメディアデータが短期間に繰り返し送受信されるのを回避することができる。
【００１９】
なお、マルチメディアデータの加工処理を行う端末が複数のユーザによって利用されるサーバである場合、データ記憶部の記憶容量の制限やサーバメンテナンス時のトラブル等により。サーバに既に送信済みのマルチメディアデータが消失しデータの不整合の状況が発生する可能性があるが、このような場合、マルチメディアデータの加工処理を行う端末のキャッシュ対応要求受信部がユーザ側端末のキャッシュ対応要求送信部にマルチメディアデータの再送を要求することにより、システムは正常に動作することができる。
【発明の効果】
【００２０】
本発明によれば、同一内容のマルチメディアデータが短期間に繰り返し送受信されるのを回避することができ、通信データ量を低減し、結果として通信コストおよび通信時間の増大を抑えることができる。
【発明を実施するための最良の形態】
【００２１】
次に、本発明の実施の形態を、図面を参照して説明する。
【００２２】
[第１の実施形態]
図１は本発明の第１の実施形態による画像合成システムの構成を示す図である。
【００２３】
端末１１０はユーザが持つカメラ付き携帯電話やＰＣ等で、要求取得部１１１とデータ記憶部１１２とキャッシュ対応要求送信部１１３と要求受信部１１４と結果表示部１１５とを有している。端末１２０はネットワーク（不図示）によって端末１１０に接続されたサーバ端末等で、キャッシュ対応要求受信部１２１と画像加工処理部１２２と結果送信部１２３とデータ記憶部１２４を有している。
【００２４】
要求取得部１１１はヒューマンマシンインタフェース（ＨＭＩ）を提供して、ユーザの要求の取得を担当し、画像撮影機能１１１Ａとパラメタ取得機能１１１Ｂを提供する。ユーザは撮影画像を新規に撮影する場合と、過去に撮影したデータを再利用する場合があり、それを区別するために「画像フラグ」が導入されている。画像を新規に撮影する場合、ユーザは要求取得部１１１の画像撮影機能１１１Ａにより、自分の周囲の画像を撮影する。このとき、ユーザは、撮影画像の中に認識対象となるマーカが含まれるように撮影を行う。画像撮影機能１１１Ａは、撮影画像データ、および撮影画像データを一意に識別するための画像ＩＤを生成し、画像フラグ＝０（新規）に設定する。過去に撮影したデータを再利用する場合、要求取得部１１１はデータ記憶部１１２に記憶されている撮影画像データを選択候補として表示させユーザに決定させ、その撮影画像データと画像ＩＤを取得し、画像フラグ＝１（再利用）に設定する。また、ユーザは要求取得部１１１のパラメタ取得機能１１１Ｂにより、「何を合成したいか」を候補リストより取得し、決定する。ユーザが選択したものの合成物ＩＤがパラメタデータとして設定される。ユーザによる画像撮影とパラメタ設定が完了すると、画像フラグ、撮影画像データ、画像ＩＤ、パラメタデータは要求取得部１１１からデータ記憶部１１２に送られる。データ記憶部１１２は、画像フラグ＝０（新規）の場合、撮影画像データと画像ＩＤを記憶する。画像フラグ＝１（再利用）の場合、データ記憶部１１２は、それらのデータは既に存在しているので、記憶しない。いずれの場合でも、データ記憶部１１２は直近のユーザ要求として、画像ＩＤとパラメタデータを記憶内容に追加し、次回の端末アプリケーション起動時のデフォルト値として利用される。データ記憶部１１２への記憶処理が終了すると、要求取得部１１１は画像フラグ、撮影画像データ、画像ＩＤ、パラメタデータをキャッシュ対応要求送信部１１３に送る。キャッシュ対応要求送信部１１３は、画像フラグ＝０（新規）の場合、画像フラグ、撮影画像データ、画像ＩＤ、パラメタデータを端末１２０に送信し、画像フラグ＝１（再利用）の場合、画像フラグ、画像ＩＤ、パラメタデータを端末１２０に送信する。
【００２５】
端末１２０のキャッシュ対応要求受信部１２１は、画像フラグ＝０（新規）の場合、撮影画像データ、画像ＩＤをデータ記憶部１２４に新たに記憶し、画像フラグ＝１（再利用）の場合、画像ＩＤを検索キーとして、対応する撮影画像をデータ記憶部１２４より取得し、撮影画像データ、画像ＩＤ、パラメタデータを画像加工処理部１２２に送る。画像加工処理部１２２は、図９の従来のシステムと同様に、送られてきた撮影画像データを画像認識し、マーカ位置にパラメタデータによって指定される合成物を画像合成し、結果画像データを生成する。生成された結果画像データは結果送信部１２３に送られる。結果送信部１２３は結果画像データを通信プロトコルに従って端末１１０に送信する。
【００２６】
端末１１０の結果受信部１１４は結果画像データを受信し、これを結果表示部１１５に送る。結果表示部１１５は、送られてきた画像データをディスプレイ等のデバイスに表示することにより、ユーザの要求によって得られた結果をユーザに提示する。これにより、従来と同様に、ユーザは実空間に存在しない仮想物があたかもそこに存在しているような画像を見ることが可能になる。
【００２７】
以降、撮影画像データは同一のまま、合成物だけを変更するような要求に対しては、画像フラグ＝１（再利用）となり、画像データの送信が行われず、通信コストと通信時間を低減することができる。
【００２８】
図２から図８は、ユーザ端末１１０に携帯電話のアプリケーションプログラムを実装したときの画面の表示例を示している。図２はアプリケーションプログラムを最初に起動したときの画面を示している。撮影画像データ、パラメタデータが未確定である。図３は、画像撮影機能１１１Ａにより画像データ取得中の画面を示している。図４は、撮影画像データは確定し、パラメタデータは未確定を示している。図５は、パラメタデータとなる合成物を候補リストから選択している様子を示している。図６は、撮影画像データ、パラメタデータとも確定し、サーバ側端末１２０に合成処理の要求をかけるときの画面である。このとき、画面フラグ＝０（新規）であり、画像データがサーバ側端末１２０に送信される。図７は、サーバ側端末１２０の画像加工処理部１２２による結果画像がユーザ側端末１１０の結果表示部１１５によって表示されている様子を示している。図８は、合成物のみを変更し、サーバ側端末１２０に再度、合成処理の要求をかけるときの画面を示している。このとき、画像フラグ＝１（再利用）であり、画像データはサーバ側端末１２０に送信されない。
【００２９】
[第２の実施形態]
第１の実施形態では、ユーザ側端末１１０のデータ記憶部１１２と、サーバ側端末１２０のデータ記憶部１２４で記憶している画像データの整合性が保たれていることが前提となっている。しかし、システムを実際に運用する際には、それぞれのデータ記憶容量の制限やメンテナンス上の理由による意図的な消去により、両データ記憶部１１２，１２４に記憶されている画像データの整合性が崩れる可能性がある。
【００３０】
整合性が崩れている状況として、
１）ユーザ側端末１１０のデータ記憶部１１２に存在するデータがサーバ側端末１２０のデータ記憶部１２４に存在しない
２）サーバ側端末１２０のデータ記憶部１２４に存在するデータがユーザ側端末１１０のデータ記憶部１１２に存在しない
の２つが考えられる。
【００３１】
前者の場合、すなわち、ユーザ側端末１１０のデータ記憶部１１２に存在するデータがサーバ側端末１２０のデータ記憶部１２４に存在しない場合については、キャッシュ対応要求受信部１２１が、画像フラグ＝１（再利用）であるにも関わらず、画像ＩＤに対応する撮影画像データがデータ記憶部１２４に存在しないことを検出する。そこで、キャッシュ対応要求受信部１２１は、キャッシュ対応要求送信部１１３に対し、該画像ＩＤに対応する撮影画像データの再送を要求する。キャッシュ対応要求送信部１１３は、該画像ＩＤを検索キーとして、対応する撮影画像データをデータ記憶部１１２より取得し、取得した撮影画像データをキャッシュ対応要求受信部１２１に送信する。撮影画像データを受信したキャッシュ対応要求受信部１２１は、これをデータ記憶部１２４に記憶する。ここまでの動作により、以後は第１の実施形態で示した正常動作時の内容で処理を継続することが可能となる。
【００３２】
後者の場合、すなわち、サーバ側端末１２０のデータ記憶部１２４に存在するデータがユーザ側端末１１０のデータ記憶部１１２に存在しない場合、要求取得部１１１において過去の撮影画像データを参照できなくなるため、ユーザは必然的に撮影画像を新規に撮影することになる。したがって、新規の画像データを撮影したものとして、以後は第１の実施形態に示した正常動作時の内容で処理を継続することが可能となる。ただし、サーバ側端末１２０のデータ記憶部１２４には、再利用されることがない撮影画像データが対応切れのまま残存することが起こりうる。この場合は、データ記憶部１２４で一定時間経過した撮影画像データを、メンテナンス時にサーバ運用者が一方的に消去することができる。一方的な消去を行っても、キャッシュ対応要求受信部１２１による前述した、キャッシュ対応要求送信部１１３への再送要求により、ユーザにはデータ不整合を気づかれることなく処理を継続することが可能となる。
【００３３】
[第３の実施形態]
第１、第２の実施形態ではデータ量の大きいマルチメディアデータとして撮影画像を例に取ったが、本発明で扱うマルチメディアデータとしては動画像や音声であってもよい。
【００３４】
動画像を扱うサービス事例としては、ユーザ側端末１１0で動画像データを撮影し、サーバ側端末１２０でアニメーションする仮想物を合成し、動画像を出力するサービスが考えられる。また、音声を扱うサービス事例としては、ユーザ側端末１１０でユーザの発話を録音し、サーバ側端末１２０で声色変換を行って音声を出力するサービスが考えられる。
【００３５】
また、入力と出力が同じフォーマットである必要はなく、一般に流布しているビューワで表示可能なコンテンツフォーマット（ＰＤＦ、Ｆｌａｓｈコンテンツ等）に変換して出力する場合にも適用することが可能となる。
【００３６】
[第４の実施形態]
なお、ユーザ側端末１１０、サーバ側端末１２０の機能は、専用のハードウェアにより実現されるもの以外に、その機能を実現するためのプログラムを、コンピュータ読取り可能な記録媒体に記録して、この記録媒体に記録されたプログラムをコンピュータシステムに読み込ませ、実行するものであってもよい。ここで、コンピュータ読取り可能な記録媒体とは、フレキシブルディスク、光磁気ディスク、ＣＤ−ＲＯＭ等の記録媒体、コンピュータシステムに内蔵されるハードディスク装置等の記憶装置を指す。さらに、コンピュータ読取り可能な記録媒体は、インターネットを介してプログラムを送信する場合のように、短時間の間、動的にプログラムを保持するもの（伝送媒体もしくは伝送波）、その場合のサーバとなるコンピュータ内部の揮発性メモリのように、一定時間プログラムを保持しているものを含む。
【図面の簡単な説明】
【００３７】
【図１】本発明の第１の実施形態による画像合成システムの構成を示す図である。
【図２】アプリケーションプログラムを最初に起動したときの画面の図である。
【図３】画像撮影機能１１１Ａにより画像データ取得中を示す画面の図である。
【図４】撮影画像データは確定し、パラメタデータは未確定を示す画面の図である。
【図５】パラメタデータとなる合成物を候補リストから選択している様子を示す画面の図である。
【図６】撮影画像データ、パラメタデータとも確定し、サーバ側端末１２０に合成処理の要求をかけるときの画面の図である。
【図７】サーバ側端末１２０の画像加工処理部１２２による結果画像をユーザ側端末１１０の結果表示部１１５によって表示されている様子を示している画面の図である。
【図８】合成物のみを変更し、サーバ側端末１２０に再度、合成処理の要求をかけるときの画面の図である。
【図９】画像合成システムの従来例の構成を示す図である。
【符号の説明】
【００３８】
１１０    ユーザ側端末
１１１    要求取得部
１１１Ａ  画像撮影機能
１１１Ｂ  パラメタ取得機能
１１２    データ記憶部
１１３    キャッシュ対応要求受信部
１１４    結果受信部
１１５    結果表示部
１２０    サーバ側端末
１２１    キャッシュ対応要求受信部
１２２    画像加工処理部
１２３    結果送信部
１２４    データ記憶部
【図１】
2007104281.tif 000003
【図２】
2007104281.tif 000004
【図３】
2007104281.tif 000005
【図４】
2007104281.tif 000006
【図５】
2007104281.tif 000007
【図６】
2007104281.tif 000008
【図７】
2007104281.tif 000009
【図８】
2007104281.tif 000010
【図９】
2007104281.tif 000011